(57)【要約】【課題】選択医療用画像の次に表示させる画像を容易に探すことができる医療用画像表示システムを提供する。【解決手段】医療用データが記憶されたサーバ２と、前記医療用データに基づく医療用画像が表示される表示端末３と、を備え、前記サーバ２は、前記医療用データの中から選択されて、前記表示端末において表示された選択医療用画像と関連する関連医療用画像の医療用データを、前記選択医療用画像に設定されたキーワードを用いて検索する検索部２３を有し、前記表示端末３は、前記検索部２３で検索された関連医療用画像の一覧画像を表示させる表示制御部３２を有することを特徴とする。【選択図】図１
2013114485.tif 000002
【特許請求の範囲】
【請求項１】
医療用データが記憶されたサーバと、
前記医療用データに基づく医療用画像が表示される表示端末と、
を備え、
前記サーバは、前記医療用データの中から選択された選択医療用画像と関連する関連医療用画像の医療用データを、前記選択医療用画像に設定されたキーワードを用いて検索する検索部を有し、
前記表示端末は、前記検索部で検索された関連医療用画像の一覧画像を前記選択医療用画像とともに表示させる表示制御部を有する
ことを特徴とする医療用画像表示システム。
【請求項２】
前記表示制御部は、前記一覧画像を前記関連医療用画像の取得時期の順番に従って表示させることを特徴とする請求項１に記載の医療用画像表示システム。
【請求項３】
前記表示制御部は、前記関連医療用画像の取得時期の時間間隔に応じた間隔で前記一覧画像を表示させる請求項１又は２に記載の医療用画像表示システム。
【請求項４】
前記表示制御部は、前記関連医療用画像が分類毎に表示された前記一覧画像を表示させることを特徴とする請求項１〜３のいずれか一項に記載の医療用画像表示システム。
【請求項５】
前記選択医療用画像に設定されたキーワードは、前記医療用データのデータ本体又は付帯情報に含まれていることを特徴とする請求項１〜４のいずれか一項に記載の医療用画像表示システム。
【請求項６】
前記医療用データに基づいてキーワードを設定するキーワード設定部を備えることを特徴とする請求項１〜５のいずれか一項に記載の医療用画像表示システム。
【請求項７】
前記キーワードは、操作者が前記選択医療用画像の次に表示させたい所望の候補画像が抽出されるよう設定されていることを特徴とする請求項１〜６のいずれか一項に記載の医療用画像表示システム。
【請求項８】
前記検索部は、前記医療用データの付帯情報を検索対象とすることを特徴とする請求項１〜７のいずれか一項に記載の医療用画像表示システム。
【請求項９】
前記医療用データには、医用画像データ及び文書データが含まれることを特徴とする請求項１〜８のいずれか一項に記載の医療用画像表示システム。
【請求項１０】
前記検索部は、前記文書データのデータ本体を検索対象とすることを特徴とする請求項９に記載の医療用画像表示システム。
【発明の詳細な説明】
【技術分野】
【０００１】
本発明は、サーバ（Ｓｅｒｖｅｒ）に記憶された医療用データに基づく画像が表示端末に表示される医療用画像表示システムに関する。
【背景技術】
【０００２】
サーバに記憶された医療用データに基づく画像が、サーバとネットワーク（Ｎｅｔｗｏｒｋ）を介して接続された表示端末に表示される医療用画像表示システムが、例えば特許文献１に記載されている。
【０００３】
前記サーバに記憶された医療用データは、例えばＸ線ＣＴ（Ｃｏｍｐｕｔｅｄ  Ｔｏｍｏｇｒａｐｈｙ）装置で撮影されたＸ線ＣＴ画像やＭＲＩ（Ｍａｇｎｅｔｉｃ  Ｒｅｓｏｎａｎｃｅ  Ｉｍａｇｉｎｇ）装置で撮影されたＭＲＩ画像などの医用画像のデータである。この他、前記医療用データには、診療情報提供書など病院内で用いられる紙の文書がスキャンされてデータ化されたものなども含まれる。
【先行技術文献】
【特許文献】
【０００４】
【特許文献１】特開２００９−１２５１３８号公報
【発明の概要】
【発明が解決しようとする課題】
【０００５】
ところで、サーバに記憶されている医療用データに基づく画像を表示端末に表示させた後、表示されている画像と関連する画像を表示させる場合がある。例えば、直近に撮影されたＸ線ＣＴ画像を表示端末に表示させた後に、同じ患者について過去に撮影されたＸ線ＣＴ画像を表示させたい場合がある。このような場合に、いちいち画像を探すのは非常に煩雑である。以上のような事情から、最初に選択された画像の次に表示させたい画像の候補が自動的に表示される医療用画像表示システムが望まれている。
【課題を解決するための手段】
【０００６】
上述の課題を解決するためになされた発明は、医療用データが記憶されたサーバと、前記医療用データに基づく医療用画像が表示される表示端末と、を備え、前記サーバは、前記医療用データの中から選択された選択医療用画像と関連する関連医療用画像の医療用データを、前記選択医療用画像に設定されたキーワードを用いて検索する検索部を有し、前記表示端末は、前記検索部で検索された関連医療用画像の一覧画像を前記選択医療用画像とともに表示させる表示制御部を有することを特徴とする医療用画像表示システムである。
【発明の効果】
【０００７】
上記観点の発明によれば、選択医療用画像に設定されたキーワードを用いて検索された関連医療用画像の一覧画像が表示されるので、選択医療用画像の次に表示させたい画像の候補が自動的に表示される。従って、選択医療用画像の次に表示させる画像を容易に探すことができる。
【図面の簡単な説明】
【０００８】
【図１】本発明に係る医療用画像表示システムのブロック図である。
【図２】図１に示す医療用画像表示システムの動作を示すフローチャートである。
【図３】医療用画像の一覧が表示された表示部の一例を示す図である。
【図４】選択医療用画像が表示された表示部の一例を示す図である。
【図５】選択医療用画像と関連医療用画像の一覧画像とが表示された表示部の一例を示す図である。
【図６】関連医療用画像が拡大表示された表示部の一例を示す図である。
【図７】第一変形例において選択医療用画像と関連医療用画像の一覧画像とが表示された表示部の一例を示す図である。
【図８】第一変形例において選択医療用画像と関連医療用画像の一覧画像とが表示された表示部の他例を示す図である。
【図９】第三変形例において選択医療用画像と関連医療用画像の一覧画像とが表示された表示部の一例を示す図である。
【発明を実施するための形態】
【０００９】
以下、本発明の実施形態について図１〜図６に基づいて説明する。図１に示す医療用画像表示システム１は、ネットワークＮを介して接続されたサーバ２と表示端末３とを備えている。前記サーバ２には、ネットワークを介して部門システム４が複数接続されている。前記サーバ２は、本発明におけるサーバの実施の形態の一例である。また、前記表示端末３は、本発明における表示端末の実施の形態の一例である。
【００１０】
前記サーバ２は、記憶部２１、医療用データ出力部２２、検索部２３、キーワード設定部２４を有している。前記記憶部２１は、例えばＨＤＤ（Ｈａｒｄ  Ｄｉｓｋ  Ｄｒｉｖｅ）などである。前記記憶部２１には、前記各部門システム４から前記ネットワークＮを介して前記サーバ２に入力された医療用データなどが記憶されている。
【００１１】
前記記憶部２１に記憶されている医療用データは、医用画像データや文書データである。医用画像データは、例えばＸ線ＣＴ画像やＭＲＩ画像などの画像データである。文書データは、読影レポートや診療情報提供書などのデータである。文書データには、紙の文書をスキャンしてデータ化されたものも含まれる。
【００１２】
前記医療用データは、データ本体の他に付帯情報を含んでいる。付帯情報は、例えば患者の氏名、検査種、文書種などである。付帯情報には、例えばＸ線ＣＴ装置等のモダリティなど、前記部門システム４において自動的に付与されるものと、操作者が入力することにより付与されるものとが含まれる。
【００１３】
前記医療用データ出力部２２は、前記表示端末３の要求に応じて、前記記憶部２１に記憶された医療用データを前記表示端末３へ出力する。
【００１４】
前記検索部２３は、前記記憶部２１に記憶された医療用データに対する検索を実行する。詳細は後述する。前記検索部２３は、本発明における検索部の実施の形態の一例である。
【００１５】
前記キーワード設定部２４は、前記検索部２３が検索に用いるキーワードを設定する。詳細は後述する。前記キーワード設定部２４は、本発明におけるキーワード設定部の実施の形態の一例である。
【００１６】
前記表示端末３は、汎用型のパーソナルコンピュータ（Ｐｅｒｓｏｎａｌ  Ｃｏｍｐｕｔｅｒ）である。この表示端末３は、表示部３１、表示制御部３２、入力部３３、データ要求部３４を有している。
【００１７】
前記表示部３１は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などである。前記表示制御部３２は、前記表示部３１に画像を表示させる。この画像は、例えば前記サーバ２から出力された医療用データに基づく医療用画像などである。前記表示制御部３２は、本発明における表示制御部の実施の形態の一例である。
【００１８】
ここで、医療用画像は、前記記憶部２１に記憶された医療用データに基づく画像であり、例えば医用画像や文書データに基づく画像である。
【００１９】
前記入力部３３は、キーボードやマウスなどで構成されている。前記データ要求部３４は、前記入力部３３における操作者の入力に基づいて、前記サーバ２へ医療用データを要求する信号を出力する。
【００２０】
前記部門システム４は、例えばＸ線ＣＴ装置等のモダリティなどを含む放射線科情報システム（ＲＩＳ：Ｒａｄｉｏｌｏｇｙ  Ｉｎｆｏｒｍａｔｉｏｎ  Ｓｙｓｔｅｍ）や臨床検査システムなどの病院内における部門システムである。
【００２１】
次に、本例の医療用画像表示システム１の動作について図２のフローチャートに基づいて説明する。先ず、ステップＳ１では、図３に示すように、特定の患者Ｐに関する医療用画像Ｇの一覧Ｍを前記表示部３１に表示させる。
【００２２】
具体的には、先ず操作者が前記表示端末３の入力部３３において、氏名やＩＤなどの患者特定情報を入力する。次に、前記データ要求部３４は、前記患者Ｐに関する医療用データを前記サーバに対して要求する。前記サーバ２の医療用データ出力部２２は、前記記憶部２１に記憶されている患者Ｐの全ての医療用データを前記表示端末３に出力し、この医療用データに基づいて、前記表示制御部３２が前記医療用画像Ｇの一覧Ｍを前記表示部３１に表示させる。
【００２３】
前記一覧Ｍは、マトリックス（Ｍａｔｒｉｘ）状に医療用画像Ｇが表示されてなる。この一覧Ｍでは、縦方向が日付を表わし、横方向が医療用画像Ｇの種類を表わす。従って、この一覧Ｍにおいて、横方向の段は同じ日付に取得された医療用画像Ｇであり、縦方向の段は同じ種類の医療用画像Ｇである。図３では、前記一覧Ｍは一部のみが表示されており、前記入力部３３によってスクロールバーＳＢを操作することにより、前記一覧Ｍをスクロールすることができる。
【００２４】
次に、ステップＳ２では、操作者は、前記一覧Ｍにおいて所望の医療用画像Ｇを選択し、その画像を図４に示すように拡大表示させる。具体的には、操作者は、前記一覧Ｍにおいて、表示させたい医療用画像Ｇの上にカーソルを合わせて前記入力部３３のマウスをクリックする。前記表示制御部３２は、マウスのクリック操作により選択された選択医療用画像Ｇ−ａを前記表示部３１に拡大表示させる。この選択医療用画像Ｇ−ａは、本発明における選択医療用画像の実施の形態の一例である。
【００２５】
次に、ステップＳ３では、同一患者Ｐについて、前記選択医療用画像Ｇ−ａと関連する関連医療用画像Ｇ−ｂを、前記検索部２３が検索する。この関連医療用画像Ｇ−ｂは、本発明における関連医療用画像の実施の形態の一例である。
【００２６】
前記検索部２３による検索について詳細に説明する。ここでは、前記選択医療用画像Ｇ−ａと同一検査種又は同一文書種の関連医療用画像Ｇ−ｂの検索が行われる。具体的には、先ず、前記データ要求部３４が、前記選択医療用画像Ｇ−ａの特定情報を前記サーバ２へ出力する。この特定情報は、前記選択医療用画像Ｇ−ａの検査種や文書種、患者Ｐの特定情報を含む。前記サーバ２では、データ要求部３４から入力された特定情報により特定される前記選択医療用画像Ｇ−ａの付帯情報に含まれる検査種又は文書種をキーワードとして用いて、前記検索部２３が検索を行なう。
【００２７】
検索に用いられるキーワードは、前記記憶部２１に記憶されている各医療用データに対して予め設定されている。キーワードは、前記キーワード設定部２４によって、例えば付帯情報に含まれる単語の中から設定される。前記検索部２３は、選択医療用画像Ｇ−ａの医療用データに対して設定されたキーワードを用いて検索を行なう。
【００２８】
ここでは、選択医療用画像Ｇ−ａと同一の検査種又は文書種がキーワードとして設定されるものとする。例えば、前記選択医療用画像Ｇ−ａの検査種が頭部ＣＴ画像である場合、「頭部ＣＴ画像」がキーワードとして設定される。また、前記選択医療用画像Ｇ−ａの文書種が診療情報提供書である場合、「診療情報提供書」がキーワードとして設定される。
【００２９】
キーワードが「頭部ＣＴ画像」である場合、前記検索部２３は、前記患者Ｐについて前記記憶部２１に記憶されている頭部ＣＴ画像を検索する。また、キーワードが「診療情報提供書」である場合、前記検索部２３は、前記患者Ｐについて前記記憶部２１に記憶されている診療情報提供書を検索する。前記検索部２３は、前記医療用データの付帯情報を対象にして検索を行なう。
【００３０】
ちなみに、医療用データに対してどのようなキーワードを設定するかを操作者によって指示できるようになっていてもよい。
【００３１】
次に、ステップＳ４では、ステップＳ３において前記検索部２３により抽出された関連医療用画像Ｇ−ｂの一覧画像ＧＶが、図５に示すように前記表示端末３の表示部３１に表示される。具体的には、先ず前記医療用データ出力部２２が、前記検索部２３により抽出された医療用データを前記表示端末３へ出力する。そして、前記表示制御部３２は、前記医療用データ出力部２２から出力された医療用データに基づく一覧画像ＧＶを前記表示部３１に表示させる。
【００３２】
前記表示制御部３２は、前記関連医療用画像Ｇ−ｂの一覧画像ＧＶを、前記選択医療用画像Ｇ−ａと同一画面に並べて表示させる。このような表示により、次のステップＳ５で表示させる関連医療用画像Ｇ−ｂを選択しやすい。
【００３３】
また、前記表示制御部３２は、一覧画像ＧＶにおいて、画像の取得時期の順番に従って関連医療用画像Ｇ−ｂを表示させる。本例では、一番左の関連医療用画像Ｇ−ｂの取得時期が最も新しく、右へ向かうに従って取得時期が古くなる。
【００３４】
次に、ステップＳ５では、操作者は、前記一覧画像ＧＶにおいて、表示させたい関連医療用画像Ｇ−ｂを選択し、その画像を図６に示すように拡大表示させる。具体的には、操作者は、前記一覧画像ＧＶにおいて、表示させたい関連医療用画像Ｇ−ｂを前記ステップＳ２と同様にマウスで選択して前記表示部３１に表示させる。
【００３５】
以上説明した本例の医療用画像表示システム１によれば、選択医療用画像Ｇ−ａと関連する関連医療用画像Ｇ−ｂが検索されて前記表示部３１に表示されるので、選択医療用画像Ｇ−ａの次に表示させたい画像の候補を自動的に表示させることができる。従って、選択医療用画像Ｇ−ａの次に表示させる画像を容易に探すことができる。
【００３６】
次に、上記実施形態の変形例について説明する。先ず、第一変形例について説明する。本例では、前記キーワード設定部２４は、前記ステップＳ２において選択された選択医療用画像Ｇ−ａの検査種、文書種の語句を分解して検索のキーワードを設定する。この場合、前記キーワード設定部２４は、前記記憶部２１に記憶されている辞書を用いてキーワードを設定してもよい。例えば、選択医療用画像Ｇ−ａの検査種が「頭部ＣＴ画像」である場合、例えば「頭部」「ＣＴ」をキーワードとして設定する。また、選択医療用画像Ｇ−ａの文書種が「診療情報提供書」である場合、例えば「診療」をキーワードとして設定する。
【００３７】
「頭部」「ＣＴ」がキーワードとして設定されている場合、前記ステップＳ３において、前記検索部２３は、同じ患者Ｐについて頭部の医用画像（ＣＴ画像やＭＲＩ画像）と、頭部及び頭部以外のＣＴ画像を検索する。また、「診療」がキーワードとして設定されている場合、前記検索部２３は、例えば文書種に「診療」の語句を含む医療用データを検索する。
【００３８】
本例では、前記表示制御部３２は、前記ステップＳ４において、前記一覧画像ＧＶを分類して分類毎に表示させる。例えば、前記検索部２３により頭部の医用画像及びＣＴ画像が抽出された場合、前記表示制御部３２は、図７に示すように、頭部の関連医療用画像Ｇ−ｂ１と、ＣＴ画像である関連医療用画像Ｇ−ｂ２とに分類されてそれぞれの分類毎に分けられた一覧画像ＧＶを表示させる。この図７では、キーワード毎に分類されている。また、前記検索部２３により「診療」の語句を含む医療用データが抽出された場合、前記表示制御部３２は、図８に示すように、例えば他の診療情報提供書の画像である関連医療用画像Ｇ−ｂ３と、診療録の画像である関連医療用画像Ｇ−ｂ４とに分類されてそれぞれの分類毎に分けられた一覧画像ＧＶを表示させる。この図８では、同一文書種毎に分類されている。
【００３９】
このように、前記関連医療用画像Ｇ−ｂが分類毎に表示された一覧画像ＧＶが表示されるので、操作者は次に表示させたい関連医療用画像Ｇ−ｂを容易に見つけることができる。
【００４０】
次に、第二変形例について説明する。前記キーワード設定部２４は、文書データについては、付帯情報ではなく文書データの本体からキーワードを抽出してもよい。この場合、前記キーワード設定部２４は、文書データに含まれる語句を全て抽出するのではなく、文書データの最初から所定数の語句のみをキーワードとして抽出してもよい。
【００４１】
また、前記キーワード設定部２４は、操作者が前記表示端末３の入力部３３において入力した語句をキーワードとして設定してもよい。例えば、カンファレンス（ｃｏｎｆｅｒｅｎｃｅ）に用いる医療用画像に対し、前記入力部３３において、「カンファレンス用」と入力することによってキーワードを設定してもよい。この場合、カンファレンス用の医療用画像を前記選択医療用画像Ｇ−ａとして選択することにより、他のカンファレンス用の医療用画像が前記関連医療用画像Ｇ−ｂの一覧画像ＧＶとして表示される。
【００４２】
次に、第三変形例について説明する。本例では、前記表示制御部３２は、図９に示すように、関連医療用画像Ｇ−ｂの取得時期の間隔に応じた間隔で前記一覧画像ＧＶを表示させる。この図９では、関連医療用画像Ｇ−ｂ５，Ｇ−ｂ６，Ｇ−ｂ７，Ｇ−ｂ８が表示されている。前記関連医療用画像Ｇ−ｂ８が最も取得時期が新しく、次いで前記関連医療用画像Ｇ−ｂ７，Ｇ−ｂ６，Ｇ−ｂ５の順に取得時期が新しいものとする。
【００４３】
前記関連医療用画像Ｇ−ｂ５〜Ｇ−ｂ８は、取得時期の時間間隔に応じた間隔で表示されている。本例では、前記関連医療用画像Ｇ−ｂ８と前記関連医療用画像Ｇ−ｂ７との取得時期の時間間隔及び前記関連医療用画像Ｇ−ｂ６と前記関連医療用画像Ｇ−ｂ５との取得時期の時間間隔は、前記関連医療用画像Ｇ−ｂ７と前記関連医療用画像Ｇ−ｂ６との取得時期の時間間隔よりも長い。従って、前記一覧画像ＧＶにおいて、前記関連医療用画像Ｇ−ｂ８と前記関連医療用画像Ｇ−ｂ７との間及び前記関連医療用画像Ｇ−ｂ６と前記関連医療用画像Ｇ−ｂ５との間の間隔は、前記関連医療用画像Ｇ−ｂ７と前記関連医療用画像Ｇ−ｂ６との間の間隔よりも広くなっている。
【００４４】
このように、前記関連医療用画像Ｇ−ｂの取得時期の時間間隔に応じた間隔で前記一覧画像ＧＶが表示されているので、前記関連医療用画像Ｇ−ｂの取得時期を視覚的に直観で認識することができる。
【００４５】
以上、本発明を前記実施形態によって説明したが、本発明はその主旨を変更しない範囲で種々変更実施可能なことはもちろんである。例えば、前記検索部２３は、検索対象を、付帯情報ではなく文書データのデータ本体としてもよい。
【００４６】
また、キーワードは、上述の設定手法で設定されるものに限られず、操作者が前記選択画像の次に表示させたい所望の候補画像が抽出されるように設定されていればよい。
【００４７】
さらに、前記一覧画像ＧＶは、前記選択医療用画像Ｇ−ａと同時に前記表示部３１に表示されてもよい。
【符号の説明】
【００４８】
１  医療用画像表示システム
２  サーバ
３  表示端末
２３  検索部
２４  キーワード設定部
３２  表示制御部
【図１】
2013114485.tif 000003
【図２】
2013114485.tif 000004
【図３】
2013114485.tif 000005
【図４】
2013114485.tif 000006
【図５】
2013114485.tif 000007
【図６】
2013114485.tif 000008
【図７】
2013114485.tif 000009
【図８】
2013114485.tif 000010
【図９】
2013114485.tif 000011